(57)【要約】  マルチメディアプレゼンテーション１００におけるデータを構成（organize）し、即時の要約レビューを提供するための方法が開示される。更に開示されるものは、マルチメディアプレゼンテーション１００における現在の場面までの要約情報１０２、１０４を提示するための方法及び装置である。要約情報を提示するための方法は、受信されたマルチメディアプレゼンテーション１００における現在の場面を決定するステップ４２０と、前記決定された現在の場面に対応する要約データブロックを決定するステップ４３０と、受信された要求に応じて、前記対応する要約データブロックにおける情報をユーザに提供するステップ４５０と、を有する。本発明の一態様においては、以前の場面に関連する各要約データブロックは、現在の場面に基づいて取得及びフィルタリングされ、現在の場面にかかわらず略一定である要約の長さを提供する。
2009503981.tif 000002
【特許請求の範囲】
【請求項１】
複数の場面を含むマルチメディアプレゼンテーションの要約を構成するための方法であって、
前記マルチメディアプレゼンテーションにおける各場面について、前記場面に対応する要約を含むデータブロックを提供するステップと、
要約データに関連する場面のそれぞれを参照するインジケータを提供するステップと、
を有する方法。
【請求項２】
前記要約は、対応する場面における情報に関連する、請求項１に記載の方法。
【請求項３】
前記要約は、以前の場面における情報に関連する、請求項１に記載の方法。
【請求項４】
前記要約は、対応する場面の前の場面のそれぞれに関連する、請求項１に記載の方法。
【請求項５】
前記要約は前記対応する場面を含む、請求項４に記載の方法。
【請求項６】
前記要約は、前記マルチメディアプレゼンテーションの場面のそれぞれの視覚的な部分に対応する、請求項１に記載の方法。
【請求項７】
前記要約は、前記マルチメディアプレゼンテーションの場面のそれぞれのオーディオ部分に対応する、請求項１に記載の方法。
【請求項８】
前記要約は更に、前記マルチメディアプレゼンテーションにおける前記現在の場面に基づいて前記要約をフィルタリングするためのインジケータを有する、請求項１に記載の方法。
【請求項９】
マルチメディアプレゼンテーションの要約を提供するための方法であって、前記マルチメディアプレゼンテーションは、複数の場面と、前記プレゼンテーションにおける現在の場面までの対応する要約データブロックとを含み、前記方法は、
受信されたマルチメディアプレゼンテーションにおける現在の場面を決定するステップと、
前記決定された現在の場面に対応する要約データブロックを決定するステップと、
受信された要求に応じて、前記対応する要約データブロックにおける情報をユーザに提供するステップと、
を有する方法。
【請求項１０】
前記対応する要約データブロックを決定するステップは更に、前記決定された現在の場面の前の各要約データブロックを取得するステップを有する、請求項９に記載の方法。
【請求項１１】
前記要約データブロックのそれぞれにおける情報をフィルタリングするステップを更に有する、請求項１０に記載の方法。
【請求項１２】
前記フィルタリングするステップは、
前記要約データブロックのそれぞれにおけるインジケータを取得するステップと、
前記取得されたインジケータ及び前記決定された現在の場面に基づいて、前記要約データブロックのそれぞれからの情報を限定するステップと、
を有する、請求項１１に記載の方法。
【請求項１３】
前記要約データブロックにおける情報は、前記マルチメディアプレゼンテーションの視覚的な部分に関連する、請求項９に記載の方法。
【請求項１４】
前記要約データブロックにおける情報は、前記マルチメディアプレゼンテーションのオーディオ部分に関連する、請求項９に記載の方法。
【請求項１５】
マルチメディアプレゼンテーションの要約を提供するための装置であって、前記マルチメディアプレゼンテーションは、複数の場面と、前記プレゼンテーションにおける現在の場面までの対応する要約データブロックとを含み、前記装置はプロセッサ及びメモリを有し、前記プロセッサは、
受信されたマルチメディアプレゼンテーションにおける現在の場面を決定し、
前記決定された現在の場面に対応する要約データブロックを決定し、
受信された要求に応じて、前記対応する要約データブロックにおける情報をユーザに提供する
ためのコードを実行する装置。
【請求項１６】
前記プロセッサは、前記決定された現在の場面の前の各要約データブロックを取得するためのコードを実行することにより、対応する要約データブロックを決定する、請求項１５に記載の装置。
【請求項１７】
前記プロセッサは更に、前記要約データブロックのそれぞれにおける情報をフィルタリングするためのコードを実行する、請求項１６に記載の装置。
【請求項１８】
前記プロセッサは、
前記要約データブロックのそれぞれにおけるインジケータを取得し、
前記インジケータ及び前記決定された現在の場面に基づいて、前記要約データブロックのそれぞれからの情報を限定する
ためのコードを実行することにより前記情報をフィルタリングする、請求項１７に記載の装置。
【請求項１９】
前記要約データブロックにおける情報は、前記マルチメディアプレゼンテーションの視覚的な部分に関連する、請求項１５に記載の装置。
【請求項２０】
前記要約データブロックにおける情報は、前記マルチメディアプレゼンテーションのオーディオ部分に関連する、請求項１５に記載の装置。
【請求項２１】
前記マルチメディアプレゼンテーションを受信するための受信ユニットを更に有する、請求項１５に記載の装置。
【請求項２２】
前記コードは前記メモリに保存される、請求項１５に記載の装置。
【請求項２３】
前記要約は、対応する場面における情報に関連する、請求項１５に記載の装置。
【請求項２４】
前記要約は、以前の場面における情報に関連する、請求項１５に記載の装置。
【請求項２５】
前記要約は、対応する場面の前の場面のそれぞれに関連する、請求項１５に記載の装置。
【請求項２６】
前記要約は前記対応する場面を含む、請求項２５に記載の装置。
【請求項２７】
複数の場面を含むマルチメディアプレゼンテーションの要約を提供するための装置であって、前記装置はプロセッサ及びメモリを有し、前記プロセッサは、
現在の場面までの前記マルチメディアプレゼンテーションのコンテンツをレビューし、
前記現在の場面までの前記マルチメディアプレゼンテーションのコンテンツの要約を作成し、
前記コンテンツの要約をユーザに提供する
ためのコードを実行する装置。
【請求項２８】
前記プロセッサは、前記現在の場面の前の各場面のコンテンツをレビューするためのコードを実行することにより前記コンテンツの要約を決定する、請求項２７に記載の装置。
【請求項２９】
前記プロセッサは更に、前記現在の場面の前の場面のそれぞれのコンテンツの要約をフィルタリングするためのコードを実行する、請求項２８に記載の装置。
【発明の詳細な説明】
【技術分野】
【０００１】
本発明は、マルチメディアのプレゼンテーションの分野に関し、更に詳細には、マルチメディアマテリアルの即時的なレビュー機能を提供するための方法及び装置に関する。
【背景技術】
【０００２】
ユーザ又はユーザの群がＤＶＤ又は他のマルチメディアマテリアルを観ているときに、他のユーザが該ユーザ又はユーザの群に参加したいと欲することがしばしば起こる。既に例えば映画のようなメディアを観ているユーザ又はユーザの群は、該映画を最初から再開するか、又は新たなユーザが該群に参加した点までのストーリー若しくは映画の筋を手短に説明するか、又は何もしない、といった選択肢を持つ。後者の場合、新たなユーザは、ストーリー若しくは映画の筋を確かめようとするか、ストーリーの知識なしに該群に参加するか、又は該群に全く参加しないか、を選択し得る。
【発明の開示】
【発明が解決しようとする課題】
【０００３】
現在のＤＶＤ技術は例えば、プレゼンテーションの先頭とは異なるセクションにおいて、例えば映画のようなマルチメディアデータのプレゼンテーションを開始することを提供する。しかしながら、プレゼンテーションのセクションを跨ぐジャンプは、ユーザが一度に映画を完全に視聴することが出来ず、プレゼンテーションを後に視聴することを決定した場合に有用である。しかしながら、該機能は、映画が停止された点までのストーリーに関する情報を提供しない。この場合、ユーザが先頭とは異なる点においてプレゼンテーションを再開するときに、ユーザが該再開点までのストーリーを忘れてしまっていることがあり得る。かくして、ユーザは、ストーリーをレビューするために先頭からプレゼンテーションを再開することを強いられる。
【０００４】
それ故、本業界においては、マルチメディアプレゼンテーションにおいて現在の視聴点までの情報の要約を提供することに対する、並びに要求に応じて要約情報をデコード及び提示するための適切な処理に対するニーズがある。
【課題を解決するための手段】
【０００５】
マルチメディアプレゼンテーションにおけるデータを構成（organize）し、即時の要約レビューを提供するための方法が開示される。更に開示されるものは、マルチメディアプレゼンテーションにおける現在の場面までの要約情報を提示するための方法及び装置である。要約情報を提示するための本方法は、受信されたマルチメディアプレゼンテーションにおける現在の場面を決定するステップと、前記決定された現在の場面に対応する要約データブロックを決定するステップと、受信された要求に応じて、前記対応する要約データブロックにおける情報をユーザに提供するステップと、を有する。本発明の一態様においては、以前の場面に関連する各要約データブロックは、現在の場面に基づいて取得及びフィルタリングされ、現在の場面にかかわらず略一定である要約の長さを提供する。
【０００６】
本発明は、種々のコンポーネント及びコンポーネントの構成、並びに種々の処理動作及び処理動作の構成の形をとっても良い。図面は、単に好適な実施例を説明する目的のものであり、本発明を限定するものと解釈されるべきではない。
【発明を実施するための最良の形態】
【０００７】
図面は本発明の概念を説明するためのものであり、定縮尺で描かれたものではないことは、理解されるべきである。ことによると適宜参照文字を付与された、同一の参照番号は、対応する部分を識別するために図を通して利用されていることは、理解されるであろう。
【０００８】
本発明の原理によれば、要約メタデータ及び特定の要約オーディオ／ビジュアル（Ａ／Ｖ）コンテンツが、Ｂｌｕ−ｒａｙディスク又はＨＤ−ＤＶＤのような新たなディスク規格に追加される。この場合、再生装置は、標準化された要約機能を実装し得る。
【０００９】
ディスク規格に追加されるメタデータ即ち情報は、マルチメディアのタイムライン表現における入出（in-out）ポインタの特定のセットであっても良い。入出点の幾つかのセットが、比例しない要約長の要件を満たすために、種々の詳細化レベルにより定義されても良い。本発明の他の態様においては、略全体の映画の短い要約が最も優先度の高い入出ポインタのみを利用するように、各入出ポインタのセットが優先度の等級を含んでも良い。
【００１０】
他の態様においては、入出ポインタ及び優先度インジケータが、後続するプレゼンテーションについて特定の長さの要約を生成することが可能であるように、要約Ａ／Ｖコンテンツが定義されても良い。この場合、再生装置は、再生機能の現在の位置に基づいてデータを生成することにより、特定の要約データを生成することとなる。
【００１１】
図１は、本発明の原理によるマルチメディア要約メタデータの構成の例の第１の実施例を示す。本発明の該実施例においては、マルチメディア１００が、複数のセクション即ち場面１００．１乃至１００．ｍに分割される。各場面について、対応するメタデータブロック１０２、１０４、１０５、１０８等が定義される。各メタデータブロックは、対応する場面における情報の要約（即ち入出点）を提供する。例えば、メタデータ１０２は場面１００．１についての要約データを含み、メタデータ１０４は場面１００．１及び１００．２についての要約データを含み、メタデータ１０６は場面１００．１乃至１００．３についての要約データ（即ち入出点のセット）を含む等する。このようにして、ユーザに提示される要約情報は固定長のものとなり、一態様においては、略同一の長さとなり得る。理解されるであろうように、要約データは更に、対応する場面に対する参照を含む。
【００１２】
本実施例においては、マルチメディアのプレゼンテーション１００に沿った現在の位置の知識を持つ再生装置は、マルチメディアのプレゼンテーション１００の現在の位置に対応するメタデータブロックにアクセスすることにより、以前の場面の要約を提供し得る。
【００１３】
本発明の実施例の変形例においては、場面１００．１乃至１００．ｍにおける入出点は、ビデオについてのみ定義される。オーディオについては、現在の場面までのストーリーを具体的に説明する別個のオーディオトラックが利用可能である。
【００１４】
図２は、本発明の原理によるマルチメディアデータの構成の第２の実施例を示す。本構成の例においては、各マルチメディア場面１００．１、１００．２等について、メタデータブロック２００．１、２００．２等が場面に関連付けられ、対応する場面を要約する情報を含む。本発明の他の態様においては、或る場面に対応するメタデータブロックは、それ以前の場面の要約情報を含み得る。この場合、マルチメディアプレゼンテーションにける現在の位置が決定されたとき、対応するメタデータブロックは以前の場面の要約を含み、それ故、現在の位置における場面の要約は、現在の位置における場面が表示される前には提示されない。
【００１５】
図３は、本発明の原理によるマルチメディア媒体に含まれる要約データ（メタデータブロック）を処理するための処理の第１の実施例のフロー図３００を示す。本実施例においては、ブロック３１０において、要約情報に対する要求が受信されたか否かの決定が為される。回答が肯定であった場合、ブロック３２０において、マルチメディア媒体内の現在の位置が取得される。ブロック３３０において、該現在の位置に関連するメタデータブロックが取得され、次いでブロック３４０において表示又は提示される。
【００１６】
認識されるであろうように、図１に示されたメタデータブロックの構成については、図３に示された処理は、プレゼンテーションの先頭から現在の位置までのマルチメディアプレゼンテーションの要約を提供する。しかしながら、図２に示されたメタデータブロックの構成については、図３に示された処理は、上述したように、メタデータブロックと場面との関係に依存して、現在の位置か又は以前の位置における場面の要約を提供し得る。
【００１７】
図４は、本発明の原理によるマルチメディア媒体に含まれる要約データを処理するための処理の第２の実施例のフロー図４００を示す。本実施例においては、ブロック４１０において、要約情報に対する要求が受信されたか否かの決定が為される。回答が肯定であった場合、ブロック４２０において、マルチメディアプレゼンテーションにおける現在の位置が取得される。ブロック４３０において、現在の位置の前の又は現在の位置に対応する各メタデータブロックが取得される。ブロック４４０において、メタデータブロックにおける情報がフィルタリングされ、提示されるべき情報の量が低減される。一態様においては、要約情報の長さを制限するように情報がフィルタリングされる。他の態様においては、メタデータブロックが、フィルタリングのためにどの情報がどのように選択されるべきかに関する指示を提供しても良い。該フィルタリングは更に、現在の位置又は場面に基づくものであっても良い。ブロック４５０において、要約データが提示される。代替の実施例においては、全てのメタデータ情報が、視聴者に提示される。この場合、要約の長さは可変であり、マルチメディアプレゼンテーション内の現在の位置に依存する。
【００１８】
図５は、本発明の原理によるマルチメディア媒体に含まれる要約データを処理するための処理の第３の実施例のフロー図５００を示す。本実施例においては、図５１０において、第１の場面が選択される。ブロック５２０において、該選択された場面に対応するメタデータブロックが取得される。ブロック５３０において、これまでに取得されたメタデータブロックの要約が決定される。該要約は、図４に関連して説明されたフィルタリングと同様の態様で取得されても良い。
【００１９】
ブロック５４０において、要約情報に対する要求が受信されたか否かの決定が為される。回答が肯定であった場合、ブロック５３０において、要約情報が提供又は表示される。
【００２０】
否であれば、ブロック５６０において次の場面が取得され、処理がブロック５２０へと継続する。
【００２１】
認識されるであろうように、図５に示された処理は、マルチメディアプレゼンテーションの現在の位置に対する要約情報の動的な決定を提供する。かくして、一態様においては、メタデータが図１に示されるように構成された場合、要約の決定は、単に対応するメタデータブロックを取得することであり得る。一方、メタデータが図２に示されるように構成された場合、要約は、リアルタイムに現在の位置までのメタデータブロックのそれぞれを処理することにより決定され得る。
【００２２】
本発明の他の態様においては、ユーザにより即時的なレビュー機能が起動されたときに、システムが「要約をどの程度短くしたいですか？」といった質問により応答しても良く、ユーザがこれに対して「非常に短く」、「普通」又は「広範に」といった回答を為すことが可能であっても良い。選択に応じて、少ない又は多い要約場面即ちオーディオ／ビデオマテリアルへの入出点が提示され得る。それ故、例示した「非常に短く」、「普通」及び「広範に」といったモードに対応するインジケータが、各メタデータブロックに含まれても良い。この場合、該インジケータは、所望のレベルの情報を表示するために情報をフィルタリングするために利用され得る。
【００２３】
本発明の更に他の態様においては、受信装置が、マルチメディアプレゼンテーションを受信したときに、各場面の情報又はコンテンツを解析し、該マルチメディアプレゼンテーションの要約を作成しても良い。本発明の該態様においては、受信装置が要約を動的に作成し、リアルタイムに又はユーザによる要求に応じて、要約を提供又は提示しても良い。
【００２４】
ここで説明された処理を実行するための本発明によるシステムは、ハードウェアを含む受信システム、又は１以上のハードウェア／ソフトウェア装置において実施化され得る、適切なソフトウェア又は実行可能なコードによりロードされる、プログラム可能な処理システム若しくはコンピュータシステムにおいて実施化されても良い。該システムは、コンピュータプログラムにより実現されても良い。該コンピュータプログラムは、プログラム可能な装置にロードされたときに、該装置におけるプロセッサに、本発明による方法を実行させる。かくして、該コンピュータプログラムは、プログラム可能な装置が、本発明によるシステムとして機能することを可能とする。
【００２５】
本発明の基本的な新規な特徴が、本発明の好適な実施例に適用される形で示され、説明され、及び指摘されたが、説明された装置、開示された装置の形態及び詳細並びにその動作における種々の省略、代用及び変更が、本発明の精神から逸脱することなく当業者により為され得ることは、理解されるであろう。例えば、本発明はマルチメディアプレゼンテーション内の位置又は場面に関連して議論されたが、位置及び場面なる語は交換可能に利用され、マルチメディアプレゼンテーションの先頭からのタイムラインを指すことは、理解されるであろう。
【００２６】
略同一の態様で略同一の機能を実行し同一の結果を達成する、要素の全ての組み合わせは、本発明の範囲内であることは、明確に意図されている。説明された或る実施例から他の実施例への要素の代用もまた、完全に意図され予期されるものである。
【図面の簡単な説明】
【００２７】
【図１】本発明の原理による情報の構成の第１の例のブロック図を示す。
【図２】本発明の原理による情報の構成の第２の例のブロック図を示す。
【図３】本発明の原理による要約情報を処理するための処理の第１の例のフロー図を示す。
【図４】本発明の原理による要約情報を処理するための処理の第２の例のフロー図を示す。
【図５】本発明の原理による要約情報を処理するための処理の第３の例のフロー図を示す。
【図１】
2009503981.tif 000003
【図２】
2009503981.tif 000004
【図３】
2009503981.tif 000005
【図４】
2009503981.tif 000006
【図５】
2009503981.tif 000007
【国際調査報告】
2009503981.tif 000008
2009503981.tif 000009
2009503981.tif 000010